(57)【要約】【課題】比較的長い距離を高速にデータ転送する際において、従来の伝送方式は減衰や雑音に弱いか、もしくは伝送路の本数が非常に多くを必要として、装置が高価であるという課題があった。【解決手段】１本の信号線に正転信号と反転信号を交互に乗せて送信し、受信側では差動信号として検出復元する構成とした。【効果】差動型の構成であるので減衰や雑音に強く、かつ環境変化にも強い。直流分を含まないので回路構成が少ない。伝送路の本数が少なく、安価であるという効果がある。【選択図】      図１
2004289626.tif 000002
【特許請求の範囲】
【請求項１】
所定の時間単位に基本データを含む重畳信号を送信する送信装置であって、
該時間単位の一部に該基本データに基づく正転信号を含み、該時間単位の他の一部に該基本データに基づく反転信号を含み、かつ該正転信号と該反転信号とを該時間単位内に重畳した前記重畳信号を形成する手段を備え、
該重畳信号を一本の信号線で送信することを特徴とする送信装置。
【請求項２】
所定の時間単位に基本データを含む重畳信号を受信する受信装置であって、
該時間単位の一部に該基本データに基づく正転信号を含み、該時間単位の他の一部に該基本データに基づく反転信号を含み、かつ該正転信号と該反転信号とが該時間単位内に重畳された前記重畳信号を受信し、
該重畳信号から該正転信号と該反転信号との差動信号を検出して前記基本データを取り出す手段を備えたことを特徴とする受信装置。
【請求項３】
請求項１記載の送信装置と、請求項２記載の受信装置と、該送信装置から出力された重畳信号を該受信装置へ伝送する伝送路とを含むことを特徴とする伝送装置。
【請求項４】
請求項３記載の重畳信号が電気信号であることを特徴とする伝送装置。
【請求項５】
請求項３記載の重畳信号が光信号であることを特徴とする伝送装置。
【請求項６】
重畳信号は、前記時間単位の前半部には前記正転信号を、後半部には前記反転信号をのせ、かつ前記正転信号と前記反転信号を前記時間単位の間に合成してなる信号であることを特徴とする、請求項１記載の送信装置又は請求項２記載の受信装置。
【請求項７】
前記重畳信号から前記時間単位を検出するクロック検出回路を含み、該クロック検出回路が出力するクロック信号に基づいて該重畳信号から前記正転信号及び前記反転信号を検出することを特徴とする請求項６記載の受信装置。
【請求項８】
所定の時間単位に基本データを含む重畳信号を伝送する伝送方法であって、
該時間単位の一部に該基本データに基づく正転信号を含み、該時間単位の他の一部に該基本データに基づく反転信号を含み、かつ該正転信号と該反転信号とを該時間単位内に重畳した前記重畳信号を形成し、
該重畳信号を伝送路を介して伝送し、
該重畳信号を該伝送路から受信し、
該受信した重畳信号から該正転信号と該反転信号との差動信号を検出し、
該差動信号に基づいて前記基本データを取り出すことを特徴とする伝送方法。
【請求項９】
ある時間単位を基本データとするデジタル入力信号を前記時間単位の一部に正転信号をのせ、また前記時間単位の別部に反転信号をのせ、かつ前記正転信号と反転信号を同一信号線に前記時間単位の間に合成した出力信号を送信する差動信号重畳型送信装置と、
ある時間単位の入力信号から、正転信号と反転信号を取り出し、該２信号の差動信号を検出する差動信号重畳型受信装置と、
前記差動信号重畳型送信装置と差動信号重畳型受信装置とを結ぶ伝送路を含むことを特徴とする伝送装置。
【発明の詳細な説明】
【０００１】
【発明の属する技術分野】
本発明は比較的長い距離を高速にデータ伝送をする際に、伝送路の信号線の本数を少なく、かつ雑音や環境変化の影響を軽微とする為の伝送装置、及びその伝送方法に関する。
【０００２】
【従来の技術】
従来の代表的な大容量、高速のデータ転送の方式としては、図９の例のように、伝送路の一本の信号線９３にそのままデータを載せて転送する方式、あるいは図１０のように信号線を２本、一対（１０３、１０４）として本来の信号とその反転信号を差動信号の対で送る方式がある。
【特許文献１】
特開昭６１−６４７６６号公報
【特許文献２】
特開平０２−１６４１５９号公報
【０００３】
【発明が解決しようとする課題】
さて、前述した伝送路の一本の信号線にデータ信号をそのままのせて送る方式は図９の９３に示す伝送路が長いと、信号が減衰したり、雑音が混入したりすることが多く、受信側で届いたデータ信号を正確かつ高速に復元することは非常に難しく、受信装置が大掛かりになり、かつ高価になるという課題があった。
【０００４】
また、基準電圧で信号の正負を判定する場合には信号の減衰に対しての許容範囲が限定され、伝送経路や雑音の制約や温度変化によるレーザの発光量の変動や基準電圧の変動の制限を強く受けていた。
【０００５】
また信号に直流成分が残ると受信側での信号検出がより一層難しくなるため、直流成分を除くために一例として８Ｂ１０Ｂ（任意の８ビットの信号を正負の割合の等しい１０ビット信号への変換手法。以下単に８Ｂ１０Ｂと略す）といった信号のコード変換を必要とし、余計な回路を必要としていた。
【０００６】
また、前述したように信号線を２本用意し、一対として本来の信号とその反転信号を一対の組み合わせで送り、その信号の差で判定する従来のいわゆる差動型の方式は長距離伝送の減衰や途中の雑音にも強いが、信号１本につき２本の信号線（図１０の１０３、１０４）が必要であるので、Ｎ本の信号では２Ｎ本の伝送線を要し、送信する信号が多くなると必要な信号線の本数が膨大になるという課題があった。
【０００７】
そこで本発明はこのような課題を解決するもので、その目的とするところは、長距離伝送の減衰や途中の雑音にも強く、かつ信号の本数が少なくてすむ伝送装置、及びその伝送方法等を提供することである。
【０００８】
【課題を解決するための手段】
（１）本発明の送信装置は，  所定の時間単位に基本データを含む重畳信号を送信する送信装置であって、
該時間単位の一部に該基本データに基づく正転信号を含み、該時間単位の他の一部に該基本データに基づく反転信号を含み、かつ該正転信号と該反転信号とを該時間単位内に重畳した前記重畳信号を形成する手段を備え、
該重畳信号を一本の信号線で送信することを特徴とする。
【０００９】
また、本発明の受信装置は、  所定の時間単位に基本データを含む重畳信号を受信する受信装置であって、
該時間単位の一部に該基本データに基づく正転信号を含み、該時間単位の他の一部に該基本データに基づく反転信号を含み、かつ該正転信号と該反転信号とが該時間単位内に重畳された前記重畳信号を受信し、
該重畳信号から該正転信号と該反転信号との差動信号を検出して前記基本データを取り出す手段を備えたことを特徴とする。
【００１０】
また、本発明の伝送装置は、前記送信装置と、前記受信装置と、該送信装置から出力された重畳信号を該受信装置へ伝送する伝送路とを含むことを特徴とする。
【００１１】
また、本発明の伝送装置は、前記重畳信号が電気信号であることを特徴とする。
【００１２】
また、本発明の伝送装置は、前記重畳信号が光信号であることを特徴とする。
【００１３】
また、本発明の送信装置又は受信装置は、重畳信号は、前記時間単位の前半部には前記正転信号を、後半部には前記反転信号をのせ、かつ前記正転信号と前記反転信号を前記時間単位の間に合成してなる信号であることを特徴とする。
【００１４】
また、本発明の受信装置は、前記重畳信号から前記時間単位を検出するクロック検出回路を含み、該クロック検出回路が出力するクロック信号に基づいて該重畳信号から前記正転信号及び前記反転信号を検出することを特徴とする。
【００１５】
また、本発明の伝送方法は、  所定の時間単位に基本データを含む重畳信号を伝送する伝送方法であって、
該時間単位の一部に該基本データに基づく正転信号を含み、該時間単位の他の一部に該基本データに基づく反転信号を含み、かつ該正転信号と該反転信号とを該時間単位内に重畳した前記重畳信号を形成し、
該重畳信号を伝送路を介して伝送し、
該重畳信号を該伝送路から受信し、
該受信した重畳信号から該正転信号と該反転信号との差動信号を検出し、
該差動信号に基づいて前記基本データを取り出すことを特徴とする。
【００１６】
また、本発明の伝送装置は、  ある時間単位を基本データとするデジタル入力信号を前記時間単位の一部に正転信号をのせ、また前記時間単位の別部に反転信号をのせ、かつ前記正転信号と反転信号を同一信号線に前記時間単位の間に合成した出力信号を送信する差動信号重畳型送信装置と、
ある時間単位の入力信号から、正転信号と反転信号を取り出し、該２信号の差動信号を検出する差動信号重畳型受信装置と、
前記差動信号重畳型送信装置と差動信号重畳型受信装置とを結ぶ伝送路を含むことを特徴とする。
【００１７】
（２）本発明の送信装置、受信装置、伝送装置及び伝送方法は、差動信号重畳型伝送方式とも呼ばれるべき方式であり、差動信号重畳型送信装置は差動入力信号の反転信号を作り、かつ入力信号のデータが定義される単位区間の半分の時間に相当するクロック信号を利用し、本来の入力信号をデータの単位区間の前半部に乗せ、前記反転した信号をデータの単位区間の後半部にのせて送信する。伝送路は前記差動データ信号を重畳された信号を伝搬する。差動信号重畳型受信装置は、前記差動を重畳された信号を受け、データの単位区間の前半部と後半部から正転信号と反転信号をそれぞれ取り出し、差動増幅器の差動入力信号端子にそれぞれが接続され、差動信号として検出する。
【００１８】
（３）そして、本発明は上記の構成をとるため、差動信号は１本の伝送路（信号線）で伝送されることとなり、従来技術である差動型のように信号線を２本は必要としない。
【００１９】
また、１本の信号線に形成された正転信号と反転信号を差動信号として差動回路で検出復元するので、途中の伝送路で信号が減衰しても、また雑音が入っても、差動信号に共通して起こる為、信号の大小関係は保存され、信号の差をとる差動回路によって原信号群は正確に復元される。また、単一の信号を検出する際の比較用の基準電圧を生成する必要もなく、かつ、基準電圧の変動を考慮する必要もない。
【００２０】
また、１本の信号線にデータ区間の前半に正転信号、後半に反転信号がのっているので、どのようなデータ系列の信号でも正転と反転の区間が等しく、直流分が載らない。したがって、８Ｂ１０Ｂのような直流分を無くすための符号変換回路をそもそも必要としない。また、正転と反転の区間が１データ区間に存在し、どのような入力信号に対しても短い間で必ず行われる為、入力信号の時系列の影響が短時間に消えるのでジッタが少ない。
【００２１】
従って、少ない本数の伝送線でかつ、伝送路の減衰や雑音に対し強く、温度等の環境変動にも強く、符号変換も必要としない伝送装置や伝送方法が実現する。
【００２２】
【発明の実施の形態】
以下、実施例により本発明の詳細を示す。図１は本発明の第１の実施例を示すシステムブロック図である。図１において実線１１で示すブロックは正転信号と反転信号を同一信号線に時間単位の間に合成若しくは重畳した出力信号を送信する差動信号重畳型送信装置であり、かつ差動信号重畳型送信回路である。実線１２で示すプロックは前記差動信号重畳型送信回路からの信号から、正転信号と反転信号を取り出し、該２信号の差動信号を検出する差動信号重畳型受信装置であり、かつ差動信号重畳型受信回路である。実線１３で示すブロックは前記差動信号重畳型送信装置１１の出力信号を前記差動信号重畳型受信装置１２へ信号を伝える信号伝送路である。
【００２３】
以上を順に説明する。差動信号重畳型送信装置１１であって、かつ差動信号重畳型送信回路１１である回路ブロックの具体的構成例を示したのが図２の回路図である。図２において、２１は入力信号が入る入力信号端子である。端子２２はデジタル信号である入力信号のデータの単位区間に相当する周波数のクロック信号が入ってくるクロック信号端子である。ＡＮＤ回路（論理積回路）２６の第１入力ゲートには入力信号端子２１が接続され、第２入力ゲートにはクロック信号端子２２が接続される。インバータ回路（反転回路）２４のゲートには入力信号端子２１が接続され、入力信号２１の反転信号が生成される。インバータ回路２５のゲートにはクロック信号端子２２が接続され、クロック信号２２の反転信号が生成される。ＡＮＤ回路２７の第１入力ゲートにはインバータ回路２４の出力が接続され、第２入力ゲートにはインバータ回路２５の出力が接続される。ＯＲ回路（論理和回路）２８の第１入力ゲートにはＡＮＤ回路２６の出力が接続され、第２入力ゲートにはＡＮＤ回路２７の出力が接続されている。ＯＲ回路２８の出力２３が図１の差動信号重畳型送信回路１１の出力端子となっている。
【００２４】
以上の回路構成により、以下に説明する動作が行われる。図３は該回路構成の各部の信号波形例を示すタイミングチャート図である。図３において２２に示す波形が図２のクロック信号端子２２のクロック信号である。このクロック信号２２の１周期に入力信号の単位データが入る１区間となる。図３において２１に示す波形が図２の入力信号端子２１の入力信号波形例である。入力信号は１、０の信号系列としては任意の波形パターンをとるが、図３の波形２１ではその一例を示している。図３の波形２４は図２のインバータ回路２４の出力信号を示しており、入力信号波形２１の反転信号となっている。ＡＮＤ回路２６は入力信号２１とクロック信号２２のＡＮＤ（論理積）をとっているので波形２６のような波形となっている。この波形はクロック信号２１が正の区間において入力信号が正か負を出力している。別な表現をすればクロック信号２２が正のタイミングで入力信号２１をサンプリングした波形である。
【００２５】
また、ＡＮＤ回路２７は入力信号の反転信号２４とクロック信号２２の反転信号のＡＮＤ（論理積）をとっているので図３の２７に示す波形となっている。この波形はクロック信号２２が負の区間において入力信号２１の反転信号２４が正か負かを検出し出力している。ＯＲ回路２８はＡＮＤ回路２６とＡＮＤ回路２７のＯＲ（論理和）をとっているので図３において波形２６と波形２７のＯＲをとった波形２８となる。波形２８はクロック信号２２が正のタイミングには入力信号２１のデータを、クロック信号２２の負のタイミングでは入力信号２１の反転信号２４のデータを信号として持っている波形となっている。したがって波形２８はクロック信号２２が正のタイミングには入力信号の正転信号を、またクロック信号２２が負のタイミングには入力信号の反転信号をのせた合成波形（若しくは重畳波形）となっている。また、以上の構成により、任意の入力波形２１に対して、少なくとも１周期を越せば必ず波形２８は正負のどちらかに反転を開始する。よって、前記の理由により、正の区間と負の区間とのそれぞれの合計値は原理的に等しいので直流信号成分を持たない。したがって、入力信号２１の波形に関わらず、長区間は勿論のこと、クロック信号２２の数周期分の短い区間でも直流成分は原理的に持たず、直流成分の集積による変動や入力信号データの組み合わせの差異によるジッタは原理的に非常に起こりにくい特徴がある。
【００２６】
図４は図１における差動信号重畳型受信装置１２であり、かつ差動信号重畳型受信回路１２の具体的構成例を示した回路図である。図４において４１は受信回路の入力信号端子であり、４４は第１の増幅回路（Ａｍｐ）であり、４５は第２の増幅回路である。４６は遅延回路であり、４８はクロック検出回路であり、破線４７で示すブロックは差動増幅回路である。なお、破線４７の内部において、負荷抵抗４７３とＮ型絶縁ゲート電界効果型トランジスタ（以下Ｎ型ＭＯＳＦＥＴと略す）４７１の直列回路と、負荷抵抗４７４とＮ型ＭＯＳＦＥＴ４７２の直列回路とを定電流回路４７５を経由して差動構成にしている。そして負荷抵抗４７４とＮ型ＭＯＳＦＥＴ４７２の接続点から差動増幅回路４７の出力端子４２が取り出され、負荷抵抗４７３とＮ型ＭＯＳＦＥＴ４７１の接続点から差動増幅回路４７の反転出力端子４３が取り出されている。なお、差動増幅回路４７の出力端子４２は差動信号重畳型受信回路１２の出力端子ともなっている。なお、図４の差動信号重畳型受信回路の構成動作を引き続き説明する中で図５に各部の信号波形を例示するが、このとき一般的に信号は微弱で信号振幅は小さい。しかしながら、動作を解りやすく説明するために波形を便宜的にデジタル的に表現している。ただし、実際には振幅は小さく、バイアス点も中間電位である。
【００２７】
さて、クロック検出回路４８は入力端子４１から図３の２８の波形、もしくは図５の波形４１を入力し、図５の波形４８のクロック信号を取り出している。なお、入力信号波形４１は前述したように短区間で正反転を繰り返すので基本波のクロック成分を多く含んでおり、フィルター形式でも、同期形式でも回路は比較的に容易に構成できる。また、図４の回路図における各部の信号は一般的に信号振幅は微弱であると前述したように図５の波形は動作を示す為に簡明に表現しているのみであって、電源電圧まで振り切れている訳ではない。しかし、クロック検出回路４８の出力信号４８については増幅して電源振幅に近い状態にしている。さて、入力信号端子４１から入力した信号は増幅回路４４と増幅回路４５に入力する。増幅回路４４はクロック検出回路４８からのクロック信号が正のときサンプリング動作して、入力信号を検出する。このときの増幅回路４４から出力される信号波形は図５の波形４４となる。ただし、波形４４の振幅はまだ小さく、中間電圧のバイアス電圧を中心に触れている信号波形である。増幅回路４５はクロック検出回路４８からのクロック信号をインバータ回路４９で反転した信号で、つまり元のクロック信号が負のときにサンプリング動作して、入力信号を検出する。このときの増幅回路４５から出力される信号波形は図５の波形４５となる。なお、波形４４と同様に、波形４５の振幅はまだ小さく、中間電圧のバイアス電圧を中心に触れている信号波形である。
【００２８】
増幅回路４４の出力信号はほぼクロックの半周期分遅延させる遅延回路４６を経て差動増幅回路４７を構成するＮ型ＭＯＳＦＥＴ４７１のゲート入力に接続されている。増幅回路４５の出力信号は差動増幅回路４７を構成するＮ型ＭＯＳＦＥＴ４７２のゲート入力に接続されている。以上から、差動増幅回路４７の第１入力端子には図５の波形４６が加わり、第２入力端子には図５の波形４５が加わって、図５の差動信号４２が検出されることとなる。前述したように図５のクロック信号４８を除いて、各信号は微弱な振幅の信号でバイアスレベルも中間で必ずしも安定してはいない。このような状況において差動型で検出するので正転信号と反転信号の両方にのる変動は原理的にキャンセルできる構成となり、伝送過程で信号に乗った雑音や、適性バイアスの変動にあまり影響されることなく信号を復元できる。
【００２９】
さて、図１の信号伝送路１３は実施例としては１本の電気配線である。図１において信号伝送路１３は差動信号重畳型送信回路１１と差動信号重畳型受信回路１２を電気的に接続している。以上から、図１の実施例では電気配線１本でありながら、差動信号重畳型送信回路１１で正転と反転の両方の信号を送り、差動信号重畳型受信回路１２で正転信号と反転信号の差動信号を検出する回路となっている。したがって配線数が少なく、伝送途中のノイズや環境変動に強い送受信方式のシステムとなっており、かつそれを実現する回路構成となっていることが解る。また、どのような入力信号でも正転と反転の両方を含む信号にしてから伝送する方式であるので、伝送信号に直流成分が含まれていず、バイアス変動等にも影響を受けず、また、８Ｂ１０Ｂのような符号変換回路や復元回路も不要としている。
【００３０】
また、図４において、ＭＯＳＦＥＴの回路構成例を示したが、デバイスが何で構成するかは本発明の本質とは無関係であるので、ＧａＡｓやＳｉＧｅ等のプロセスによるデバイスで構成してもよい。また、増幅回路４４、４５や遅延回路４６、クロック検出回路はその機能を持てばよいので、実際の回路構成は無数にある。また、同様に図２において、ＡＮＤ回路２６、２７やＯＲ回路２８やインバータ回路２４、２５は同様にその機能を持てばよいので、実際の回路構成は無数にある。
【００３１】
また、図１においてひとつの入力信号に対して、伝送路１３が１本の伝送線の場合について述べたが、これらの構成が複数本の入力信号に対して、複数のシステムを並べて用いても勿論よい。また、この際、図４におけるクロック検出回路４８等は共用化してもよい。
【００３２】
図６は本発明の第２の実施例を示すシステムブロック図である。図６では伝送路として光ファイバーを用い、光信号を伝達する例を説明する。
【００３３】
図６において、実線６１で示すブロックは正転信号と反転信号を同一信号線に時間単位の間に合成若しくは重畳した出力信号を送信する差動信号重畳型送信装置であり、破線６４で示す差動信号重畳型送信回路と破線６５で示す電気・光変換装置からなっている。
【００３４】
実線６２で示すプロックは前記差動信号重畳型送信装置６１からの信号から、正転信号と反転信号を取り出し、該２信号の差動信号を検出する差動信号重畳型受信装置であり、破線６７で示す光・電気変換装置と破線６６で示す差動信号重畳型受信回路からなっている。
【００３５】
また、実線６３で示すブロックは光ファイバーからなる光信号を伝送する光伝送路である。
【００３６】
図６に示す第２の実施例の特徴は伝送路に光信号を用いるべく、光ファイバーの伝送路６３としている点であり、その為、差動信号重畳型送信装置６１では電気信号を光信号に変換する電気・光変換装置６５を含み、差動信号重畳型受信装置６２には光信号を電気信号に変換する光・電気変換装置６７を含んでいることである。それ以外は第１の実施例と基本的には同一の原理を用いており、ほぼ同一の効果がある。
【００３７】
図７に電気・光変換装置の基本的構成例を示す。図７において、７１は入力信号端子であり、Ｎ型ＭＯＳＦＥＴ７２のゲート電極に接続されている。Ｎ型ＭＯＳＦＥＴ７２とレーザ素子７３は直列に接続されている。レーザ素子７３の一端であるＰ型端子は正極の電源端子に接続され、Ｎ型ＭＯＳＦＥＴ７４のソース電極は負極の電源端子に接続されている。このとき、入力端子７１の電気信号が変化するとＮ型ＭＯＳＦＥＴ７２のインピーダンスが変化し、それに伴いレーザ素子７３に流れる電流が変化する。この電流変化にともないレーザ素子７３の発光量が変化する。レーザ素子７３からの出光は光信号として図６の光ファバーに入光される構成をとる。なお、図７における破線の矢印７４はレーザ素子７３から発光する光を模式的に表現している。
【００３８】
なお、以上では発光素子をレーザ素子で説明したが、発光ダイオードや有機ＥＬ等の他の発光素子でもよい。
【００３９】
また、以上では基本原理の説明の為、簡単な構成例を示したが、諸処の特性を良くするために様々な回路が付加されるのが一般的である。
【００４０】
図８は光・電気変換装置の基本的構成例を示す。図８において８３はフォトダイオード素子である。破線８４で示すブロックはインバータ回路８５と帰還抵抗８６からなる電流・電圧変換増幅回路である。フォトダイオード８３に入った光信号によってフォトダイオード素子８３に流れる電流が変化する。この電流変化によって電流・電圧変換増幅回路の出力端子８２には電気信号が出力される。  なお、図８における破線の矢印８７はフォトダイオード素子８３に入っていく光を模式的に表現している。
【００４１】
【発明の効果】
以上、述べたように本発明によれば
１本の信号線にのった正転信号と反転信号を差動信号として差動回路で検出復元するので、途中の伝送路で信号が減衰しても、また雑音が入っても、差動信号を構成する正転・反転のデータ信号に共通して起こる為、キャンセルされる。この為、信号の大小関係は保存され、信号の差をとる差動回路によって原信号群は正確に復元されるという効果がある。
【００４２】
また、差動構成である為、正反の大小関係が保存されていればよいので、単一の信号を検出する際の比較用の基準電圧を生成する必要もなく、かつ、基準電圧の変動を考慮する必要もなく、回路が簡単になり、かつ温度変化を初めとする環境変動に対して強いという効果がある。
【００４３】
また、１本の信号線にデータ区間の前半に正転信号、後半に反転信号がのっているので、どのようなデータ系列の信号でも正転と反転の区間が等しく、直流分が載らない。したがって、８Ｂ１０Ｂのような直流分を無くすための符号変換回路をそもそも必要とせず、回路構成が簡単であるという効果がある。
【００４４】
また、正転と反転の区間が１データ区間に存在し、どのような入力信号に対しても短い間で必ず行われる為、入力信号の時系列の影響が短時間に消えるのでジッタが少ないという効果がある。
【００４５】
また、差動信号は１本の信号線にのっているので、従来の差動型のように信号線を２本は必要としない。したがって、この伝送装置を複数の伝送路で用いるとき伝送路の本数が少なくて済むという効果がある。
【００４６】
また、この伝送本数が少ないということは伝送路に高価な光ファィバーを用いるときにはコスト低減に大きく効果がある。
【００４７】
また、この伝送本数が少ないということは集積回路から信号を取り出す、もしくは入力するときに、入出力回路の個数が少なくてすむ。一般に入出力回路はパッドや静電気対策など比較的大きな面積を必要とするので、集積回路の大きさに多大な影響を与えるが、入出力回路の個数が少なくてすむということは集積回路のコストダウンに大きな効果がある。
【００４８】
以上より、少ない本数の伝送線でかつ、伝送路の減衰や雑音に対し強く、温度等の環境変動にも強く、符号変換も必要としない低コストの伝送装置又は伝送方法が実現する。
【図面の簡単な説明】
【図１】本発明の第１の実施例を示すシステムブロック図である。
【図２】本発明の第１の実施例に使用される差動信号重畳型送信回路の回路図である。
【図３】本発明の第１の実施例に使用される差動信号重畳型送信回路における各部の信号のタイミングチャート図である。
【図４】本発明の第１の実施例に使用される本発明の第１の実施例に使用される差動信号重畳型受信回路の回路図である。
【図５】本発明の第１の実施例に使用される本発明の第１の実施例に使用される差動信号重畳型受信回路における各部の信号のタイミングチャート図である。
【図６】本発明の第２の実施例を示すシステムブロック図である。
【図７】本発明の第２の実施例に使用される電気・光変換装置の回路構成図である。
【図８】本発明の第２の実施例に使用される光・電気変換装置の回路構成図である。
【図９】従来の第１例であるデータ転送方式のシステムプロック図である。
【図１０】従来の第２例であるデータ転送方式のシステムプロック図である。
【符号の説明】
１１、６１  ・・・  差動信号重畳型送信装置
１２、６２  ・・・  差動信号重畳型受信装置
１３、６３  ・・・  伝送路
２１、４１、７１  ・・・  入力信号端子
２２  ・・・  クロック信号端子
２３  ・・・  出力信号端子
２４、２５、４９、８５  ・・・  インバータ回路（反転回路）
２６、２７  ・・・  ＡＮＤ回路（論理積回路）
２８  ・・・  ＯＲ回路（論理和回路）
４２、８２  ・・・  出力端子
４３  ・・・  反転出力端子
４４、４５  ・・・  増幅回路
４６  ・・・  遅延回路
４７１、４７２、７４  ・・・  Ｎ型ＭＯＳＦＥＴ
４７３、４７４  ・・・  抵抗素子
４７５  ・・・  定電流回路
６４  ・・・  差動信号重畳型送信回路
６５  ・・・  電気・光変換装置
６６  ・・・  差動信号重畳型受信回路
６７  ・・・  光・電気変換装置
７３  ・・・  レーザ素子
７４  ・・・  レーザ素子の発光信号
８３  ・・・  フォトダイオード素子
８４  ・・・  電流・電圧変換増幅回路
８６  ・・・  帰還抵抗
８７  ・・・  フォトダイオード素子の受光信号
９１、１０１  ・・・  送信器
９２、１０２  ・・・  受信器
９３、１０３、１０４  ・・・  伝送線
【図１】
2004289626.tif 000003
【図２】
2004289626.tif 000004
【図３】
2004289626.tif 000005
【図４】
2004289626.tif 000006
【図５】
2004289626.tif 000007
【図６】
2004289626.tif 000008
【図７】
2004289626.tif 000009
【図８】
2004289626.tif 000010
【図９】
2004289626.tif 000011
【図１０】
2004289626.tif 000012